(57)【特許請求の範囲】
【請求項１】
印刷物によって異なる印刷内容を表す可変データと、複数の印刷物に共通する印刷内容を表す固定データとを保持するデータ管理手段であって、１レコード分の前記可変データと、前記固定データと、鍵の作成指令とを出力する処理を、すべてのレコードについて行うデータ管理手段と、
前記鍵の作成指令に応じて、前記印刷物に固有の鍵を生成する鍵生成手段と、
前記データ管理手段が出力した１レコード分の前記可変データ、前記固定データ、および前記鍵生成手段によって生成された前記印刷物に固有の鍵とに基づき、前記印刷物によって異なる印刷内容、前記複数の印刷物に共通する印刷内容、および前記印刷物に固有の鍵を同一面に含む印刷イメージデータを作成し、前記印刷イメージデータを印刷装置に出力し印刷させる印刷イメージデータ作成手段と、
前記印刷イメージデータに基き、前記印刷装置により印刷される印刷イメージをディスプレイに表示させるファイルであって、前記印刷イメージデータよりファイルサイズが小さくかつ文字が判別可能なファイルである印刷イメージファイルを作成する印刷イメージファイル作成手段と、
前記印刷イメージファイルに、前記印刷イメージファイルに対応する前記固有の鍵を用いて個々に解除される閲覧制限を施してファイル保管手段に出力するファイル出力手段とを有し、
前記印刷イメージデータ作成手段からの前記印刷装置への前記印刷イメージデータの出力、および前記ファイル出力手段からの前記印刷イメージファイルの前記ファイル保管手段への出力が終了したら、前記印刷イメージデータ作成手段、前記鍵生成手段、前記ファイル出力手段は対応する前記鍵を破棄する可変印刷システム。
【請求項２】
印刷物によって異なる印刷内容を表す可変データと、複数の印刷物に共通する印刷内容を表す固定データとを保持するデータ管理手段であって、１レコード分の前記可変データと、前記固定データと、鍵の作成指令とを出力する処理を、すべてのレコードについて行うデータ管理手段と、
前記鍵の作成指令に応じて、前記印刷物に固有の鍵を生成する鍵生成手段と、
前記データ管理手段が出力した１レコード分の前記可変データ、前記固定データ、および前記鍵生成手段によって生成された前記印刷物に固有の鍵とに基づき、前記印刷物によって異なる印刷内容、前記複数の印刷物に共通する印刷内容、および前記印刷物に固有の鍵を同一面に含む印刷イメージデータを作成し、前記印刷イメージデータを印刷装置に出力し印刷させる印刷イメージデータ作成手段と、
前記印刷イメージデータに基き、前記印刷装置により印刷される印刷イメージをディスプレイに表示させるファイルであって、前記印刷イメージデータよりファイルサイズが小さくかつ文字が判別可能なファイルである印刷イメージファイルを作成する印刷イメージファイル作成手段と、
前記印刷イメージファイルに、前記印刷イメージファイルに対応する前記固有の鍵を用いて個々に解除される閲覧制限を施してファイル保管手段に出力するファイル出力手段とを有し、
前記印刷イメージデータ作成手段からの前記印刷装置への前記印刷イメージデータの出力、および前記ファイル出力手段からの前記印刷イメージファイルの前記ファイル保管手段への出力が終了したら、前記印刷イメージデータ作成手段、前記鍵生成手段、前記ファイル出力手段は対応する前記鍵を破棄する可変印刷システムとしてコンピュータを動作させるコンピュータプログラム。
【発明の詳細な説明】
【技術分野】
【０００１】
本発明は、可変印刷システム及びコンピュータプログラムに関し、特に、複数の印刷物を印刷する際に、印刷物によって異なる印刷内容と、複数の印刷物に共通する印刷内容とに基づき印刷を行う可変印刷システム及びコンピュータプログラムに関する。
【背景技術】
【０００２】
多くの顧客に送付する通知書類は、顧客によって異なる内容を含む場合がある。例えば、顧客の名前や宛先、顧客が保有する自動車の点検時期、顧客が使用したクレジットカードの利用明細などである。このような通知書類を印刷する際には、可変印刷が用いられる。
【０００３】
図４は、従来の可変印刷を行う可変印刷システム１０１を示す図である。可変印刷システム１０１は、印刷装置１０２と、図示しないホストコンピュータ等の情報処理装置に接続されている。
【０００４】
この可変印刷システム１０１により可変印刷を行う際には、まず、可変印刷システム１０１に印刷物によって異なる印刷内容を表す可変データ１０３と、複数の印刷物に共通する印刷内容を表す固定データ１０４とを受け渡す。可変データ１０３は、一例として、ｃｓｖ形式の電子ファイルであり、そのレコードごとに顧客の名前や宛先などの情報が記録されている。また、固定データ１０４は、複数の印刷物に共通する文章、イラスト、背景あるいは枠などの情報と、印刷物によって異なる印刷内容を印刷物のどの位置に配置するかといったレイアウト情報とを含んでいる。受け渡された可変データ１０３と固定データ１０４は、一時的にデータ管理部１１０に保持される。
【０００５】
データ管理部１１０は図示しないホストコンピュータ等から印刷指令を受け取ると、１レコード分の可変データ１０３と、固定データ１０４とを印刷イメージデータ作成部１１１に受け渡す。印刷イメージデータ作成部１１１は、１レコード分の可変データ１０３と固定データ１０４とに基づき印刷イメージデータ、代表的にはラスターイメージを作成し、印刷装置１０２に出力する。印刷装置１０２は受け取った印刷イメージデータに応じて印刷物を作成する。
【０００６】
１レコード分の処理が終了したなら、データ管理部１１０は次の１レコード分の可変データ１０３を印刷イメージデータ作成部１１１に受け渡し、同様に印刷が行われる。以下同様にすべてのレコードについて印刷物が作成されるまで印刷が行われる。得られた印刷物は封緘され、顧客のもとへ郵便などを用いて送付される。
【０００７】
この可変印刷システム１０１によれば、可変データ１０３と固定データ１０４は可変印刷システム１０１内で合成されるため、可変印刷システム１０１に受け渡さなければならない情報は可変データ１０３と固定データ１０４のみでよい。そのため、あらかじめ可変データ１０３のすべてのレコードについて固定データ１０４を合成してから印刷システムに受け渡す方式に比べ、可変印刷システム１０１に受け渡すべきデータ量が少ない。
【０００８】
このような可変印刷システムとして、特許文献１には、プリンタにハードディスクなどの外部メモリを設け、可変印刷に用いる固定データや、生成された印刷イメージを画像として保管することにより、ユーザーが印刷を行う際に、固定データや印刷内容を画像により確認できるようにしたものが記載されている。
【０００９】
また、特許文献２には、可変印刷の際に、生成された印刷イメージとレコード情報とを対応付けて表示することにより、ユーザーが印刷を行う際に、レコード単位での操作を容易にしたものが記載されている。
【特許文献１】特開２００１−２０５８６８号公報
【特許文献２】特開２００６−２１５８１９号公報
【発明の開示】
【発明が解決しようとする課題】
【００１０】
本発明の目的は、可変印刷システムにより作成された印刷物の印刷イメージを閲覧制限を施して保管し、当該印刷物の内容を知ることができる場合、例えば、営業担当者やコールセンターの受付担当者が当該印刷物の引き渡しを受けた顧客から問い合わせを受けた場合などに、当該印刷物の印刷イメージの閲覧制限を解除し、閲覧できるようにすることである。
【課題を解決するための手段】
【００１１】
上記課題を解決するために、本発明に係る可変印刷システムは、印刷物によって異なる印刷内容を表す可変データと、複数の印刷物に共通する印刷内容を表す固定データとを保持するデータ管理手段であって、１レコード分の前記可変データと、前記固定データと、鍵の作成指令とを出力する処理を、すべてのレコードについて行うデータ管理手段と、前記鍵の作成指令に応じて、前記印刷物に固有の鍵を生成する鍵生成手段と、前記データ管理手段が出力した１レコード分の前記可変データ、前記固定データ、および前記鍵生成手段によって生成された前記印刷物に固有の鍵とに基づき、前記印刷物によって異なる印刷内容、前記複数の印刷物に共通する印刷内容、および前記印刷物に固有の鍵を同一面に含む印刷イメージデータを作成し、前記印刷イメージデータを印刷装置に出力し印刷させる印刷イメージデータ作成手段と、前記印刷イメージデータに基き、前記印刷装置により印刷される印刷イメージをディスプレイに表示させるファイルであって、前記印刷イメージデータよりファイルサイズが小さくかつ文字が判別可能なファイルである印刷イメージファイルを作成する印刷イメージファイル作成手段と、前記印刷イメージファイルに、前記印刷イメージファイルに対応する前記固有の鍵を用いて個々に解除される閲覧制限を施してファイル保管手段に出力するファイル出力手段とを有し、前記印刷イメージデータ作成手段からの前記印刷装置への前記印刷イメージデータの出力、および前記ファイル出力手段からの前記印刷イメージファイルの前記ファイル保管手段への出力が終了したら、前記印刷イメージデータ作成手段、前記鍵生成手段、前記ファイル出力手段は対応する前記鍵を破棄する。
【００１２】
また、本発明に係るコンピュータプログラムは、印刷物によって異なる印刷内容を表す可変データと、複数の印刷物に共通する印刷内容を表す固定データとを保持するデータ管理手段であって、１レコード分の前記可変データと、前記固定データと、鍵の作成指令とを出力する処理を、すべてのレコードについて行うデータ管理手段と、前記鍵の作成指令に応じて、前記印刷物に固有の鍵を生成する鍵生成手段と、前記データ管理手段が出力した１レコード分の前記可変データ、前記固定データ、および前記鍵生成手段によって生成された前記印刷物に固有の鍵とに基づき、前記印刷物によって異なる印刷内容、前記複数の印刷物に共通する印刷内容、および前記印刷物に固有の鍵を同一面に含む印刷イメージデータを作成し、前記印刷イメージデータを印刷装置に出力し印刷させる印刷イメージデータ作成手段と、前記印刷イメージデータに基き、前記印刷装置により印刷される印刷イメージをディスプレイに表示させるファイルであって、前記印刷イメージデータよりファイルサイズが小さくかつ文字が判別可能なファイルである印刷イメージファイルを作成する印刷イメージファイル作成手段と、前記印刷イメージファイルに、前記印刷イメージファイルに対応する前記固有の鍵を用いて個々に解除される閲覧制限を施してファイル保管手段に出力するファイル出力手段とを有し、前記印刷イメージデータ作成手段からの前記印刷装置への前記印刷イメージデータの出力、および前記ファイル出力手段からの前記印刷イメージファイルの前記ファイル保管手段への出力が終了したら、前記印刷イメージデータ作成手段、前記鍵生成手段、前記ファイル出力手段は対応する前記鍵を破棄する可変印刷システムとしてコンピュータを動作させる。
【発明の効果】
【００１３】
上記本発明に係る可変印刷システム及びコンピュータプログラムによれば、印刷物の印刷イメージを示す印刷イメージファイルは閲覧制限を施した状態で保管され、当該印刷物の内容を知ることができる場合に閲覧制限を解除し閲覧できるため、例えば営業担当者やコールセンターの受付担当者は、印刷物が引き渡された顧客より当該印刷物ごとの鍵を示す画像の内容を教えてもらうことにより、印刷イメージを示すデータを閲覧できる。
【００１４】
また、本発明に係る可変印刷システムでは、前記個々の鍵は、前記ファイル出力手段が前記印刷イメージファイルを前記ファイル保管手段に出力した後、破棄される。こうすれば、印刷物の内容を知ることができる場合にのみ、印刷イメージファイルの閲覧制限を解除できるため、営業担当者やコールセンターの受付担当者といえども、顧客に送付された印刷物の具体的内容を閲覧することができない。したがって、営業担当者やコールセンターの受付担当者自身の不注意や故意による顧客情報の漏えいをも防止することができる。
【発明を実施するための最良の形態】
【００１５】
図１は、本発明に係る可変印刷システム１を示す図である。
【００１６】
この可変印刷システム１は、印刷装置２と、ファイル保管手段として機能するファイル保管部５及び図示しないホストコンピュータ等の情報処理装置に接続されている。そして、可変印刷システム１は、その内部に、データ管理部１０、印刷イメージデータ作成手段として機能する印刷イメージデータ作成部１１、印刷イメージファイル作成手段として機能する印刷イメージファイル作成部１２、識別子・暗号鍵生成部１３及び、ファイル出力手段として機能するファイル出力部１４を有している。
【００１７】
可変印刷システム１は、一般的なコンピュータに、当該コンピュータを可変印刷システム１として動作させるためのコンピュータプログラムを読み込ませ実行させることで構築できる。上述した可変印刷システム１の各構成要素は、かかるコンピュータプログラムにより、ソフトウェアによって実現される。コンピュータプログラムは、そのコンピュータプログラムを記録したＣＤ−ＲＯＭやＤＶＤ−ＲＯＭ等の任意の情報記録媒体によって提供されてもよいし、コンピュータネットワークを介した電気通信回線により提供されてもよい。もちろん、可変印刷システム１を専用機として製作してもよい。
【００１８】
この可変印刷システム１により可変印刷を行う際には、まず、可変印刷システム１に印刷物によって異なる印刷内容を表す可変データ３と、複数の印刷物に共通する印刷内容を表す固定データ４とを受け渡す。可変データ３及び固定データ４は、前述した従来の可変印刷システム１０１に用いられるものと同様のものである。受け渡された可変データ３と固定データ４は、一時的にデータ管理部１０に保持される。
【００１９】
データ管理部１０は図示しないホストコンピュータ等の情報処理装置から印刷指令を受け取ると、１レコード分の可変データ３と、固定データ４とを印刷イメージデータ作成部１１に受け渡すとともに、識別子・暗号鍵生成部１３に、識別子と暗号鍵の作成指令を出す。
【００２０】
識別子・暗号鍵生成部１３は、データ管理部１０から作成指令を受け取ると、識別子と暗号鍵とを生成する。識別子は、後述するように、顧客に送付される印刷物に固有の記号であり、異なる印刷物に対して同一の識別子が生成されることはない。具体的には、通し番号を識別子として用いることができる。番号の桁数は任意に設定してよく、また、番号には数字のみによって構成されたものだけでなく、アルファベットやかなを含めて構成したものを使用してよいが、口頭による伝達の際に、誤認を起こしにくいような桁数及び構成とすることが望ましい。暗号鍵もまた、口頭による伝達の際に、誤認を起こしにくいような文字数及び構成とすることが望ましく、具体的には、数字及びアルファベットからなる適当な桁数の文字列が使用できる。暗号鍵を生成する方法は、
（１）可変データの該当レコード中の任意の情報をそのまま用いる方法
（２）可変データの該当レコードから適当なハッシュ関数を用いて文字列を生成する方法
（３）乱数を用いて文字列を生成する方法
等を挙げることができる。（１）の方法は簡便ではあるものの、例えば、顧客の生年月日を暗号鍵とするなどということになるため、第三者に暗号鍵が推測される可能性は無ではない。そのため、顧客情報の漏えいを防止する効果はあるものの、万全とまではいえない。（２）の方法は、ハッシュ関数のアルゴリズム自体が第三者に知られない限り、暗号鍵を推測することは困難であり、顧客情報の漏えいを防止する効果が高い。また、顧客が暗号鍵を紛失したなどの場合に、暗号鍵を再生成することができる利点がある。（３）の方法は、暗号鍵を推測することは事実上不可能であり、暗号鍵を再生成することもできないため、顧客情報の漏えいを防止する効果が極めて高い。以上のことから、（２）または（３）の方法を必要に応じて採用することが好ましい。
【００２１】
印刷イメージデータ作成部１１は、データ管理部１０からの１レコード分の可変データ３及び固定データ４と、識別子・暗号鍵生成部１３からの識別子及び暗号鍵を受け取り、これらを合成して印刷イメージデータを作成する。作成された印刷イメージデータは、印刷装置２に出力され、印刷装置２により印刷が行われて印刷物が作成される。同時に、印刷イメージデータは、印刷イメージファイル作成部１２にも受け渡される。
【００２２】
印刷イメージファイル作成部１２は、印刷イメージデータ作成部１１から印刷イメージデータを受けとり、印刷イメージデータから印刷装置２により印刷される印刷イメージを示す印刷イメージファイルを作成する。このような電子ファイルの形式としては、アドビシステムズ社によるＰＤＦ（Ｐｏｒｔａｂｌｅ  Ｄｏｃｕｍｅｎｔ  Ｆｏｒｍａｔ）を用いることが望ましい。ＰＤＦ以外の電子ファイルの形式を用いてもよいが、ラスタイメージビットマップ形式を用いると、印刷イメージデータをそのまま使用することができる一方、ファイルサイズが大きくなり、ＪＰＥＧ等の画像フォーマットを用いると、ファイルサイズは小さくできる一方、画像が劣化し細かい文字が判別しにくくなるなどするため、適切な形式を選択する必要がある。作成された印刷イメージファイルは、ファイル出力部１４に受け渡される。
【００２３】
次に、ファイル出力部１４は、印刷イメージファイルに、識別子・暗号鍵生成部１３から受け取った暗号鍵を用いて、その内容の閲覧に対する制限を施す。ここでは、そのような制限の具体例として、印刷イメージファイルを暗号化する。ＰＤＦはそれ自体に暗号化機能を有しているため、この点においても好適である。最後に、暗号化された印刷イメージファイルは、ファイル保管部５に出力され保管されると共に、識別子と関連付けられる。印刷イメージファイルを識別子と関連付けるには、簡便には、識別子を印刷イメージファイルのファイル名とすることができる。他にも、識別子と印刷イメージファイルとの対応関係を記述した対応表を作成するなど、識別子と印刷イメージファイルとを紐付け、識別子から対応する印刷イメージファイルを検索可能にする適宜の方法を用いることができる。
【００２４】
印刷装置２及びファイル保管部５への出力が終了したら、印刷イメージデータ作成部１１、識別子・暗号鍵生成部１３及びファイル出力部１４は、使用した暗号鍵をメモリから消去し、破棄する。
【００２５】
以上により、１レコード分の処理が終了する。以下同様にすべてのレコードについて処理を行い、印刷物を作成するとともに、印刷イメージファイルを作成する。得られた印刷物は封緘され、顧客のもとへ郵便などを用いて送付される。
【００２６】
なお、ファイル保管部５には、ハードディスクドライブや磁気テープなどを用いた市販のデータストレージやサーバを用いることができ、営業担当者やコールセンターの受付担当者などが、可変印刷システム１の外部よりアクセスできるようになっている。ファイル保管部５は、必ずしも可変印刷システム１の近傍に設置する必要はなく、コールセンターやデータセンターなど、保守の容易な場所に適宜設置してよい。
【００２７】
また、印刷イメージファイルの内容の閲覧を制限する方法は、上述した印刷イメージファイルの暗号化に限られず、暗号鍵を用いてファイル保管手段に保管されたイメージファイルへのアクセスを制限する方法でもよい。この場合、ファイル保管手段に保管された印刷イメージファイルにアクセスする際には、暗号鍵の入力が求められ、正しい暗号鍵が入力されなければ、当該印刷イメージファイルを呼び出すことはできない。
【００２８】
また、本実施の形態では、印刷イメージファイル作成部１２は、印刷イメージデータ作成部１１から受け取った印刷イメージデータから印刷イメージファイルを作成することとしたが、印刷イメージファイル作成部１２が、データ管理部１０から１レコード分の可変データ３と固定データ４を、識別子・暗号鍵生成部１３から識別子と暗号鍵をそれぞれ直接受け取り、印刷イメージファイルを作成してもよい。
【００２９】
図２は、本発明に係る可変印刷システム１により作成された印刷物の例である。
【００３０】
ここでは、印刷物として、接着はがき６を例にとって説明するが、印刷物は接着はがきに限られるものでなく、封書など封緘可能な媒体であればどのようなものであってもかまわない。
【００３１】
接着はがき６の印刷面６０は、顧客に伝達すべき情報が印刷された面である。糊面６１には、感圧性接着剤が塗布されており、接着はがき６を送付する際には、糊面６１と印刷面６０を貼り合わせることで第三者が印刷内容をみることができないようになっている。また、糊面６１の裏面は宛名面６２であり、顧客の宛名が印刷される。
【００３２】
印刷面６０に印刷された内容のうち、符号６３に示す部分は、複数の印刷物に共通する内容を印刷した部分であり、その内容は固定データ４に記録されていたものである。一方、符号６４に示す部分は、印刷物によって内容が異なっている部分であり、その内容は可変データ３に記録されていたものである。符号６５に「お問い合わせ番号」として示す部分は、識別子である。この例では６桁の通し番号であり、図示した接着はがき６が１２３４番目に印刷された印刷物であることを示している。そして、符号６６に「お問い合わせキー」として示す部分は、暗号鍵である。この例では６文字のアルファベットであり、図示した接着はがき６では、「ＡＢＣＤＥＦ」である。
【００３３】
図３は、印刷物である接着はがき６の送付を受けた顧客７が、接着はがき６についての問い合わせをコールセンターにする様子を示す模式図である。
【００３４】
コールセンターの受付担当者８は、顧客７からの電話を受けると、顧客７に郵送された接着はがき６に記載された識別子６５と暗号鍵６６を顧客７から口頭にて伝えてもらう。次に、受付担当者８は、ファイル保管部５にアクセスし、顧客７より提供を受けた識別子６５を用いて、顧客７に送付された接着はがき６に対応する印刷イメージファイルを呼び出す。ここでは、識別子６５は印刷物に固有の記号であり、印刷物に対応する印刷イメージファイルのファイル名となっているから、識別子６５が「００１２３４」であれば、ファイル「００１２３４．ＰＤＦ」を呼び出せばよい。次いで、受付担当者８は、顧客７より提供を受けた暗号鍵６６を用いて、印刷イメージファイルを復号する。具体的には、暗号鍵６６が「ＡＢＣＤＥＦ」であれば、その暗号鍵６６をＰＤＦビューアに入力すればよい。
【００３５】
そうすると、受付担当者８の前に置かれたディスプレイ８０には、接着はがき６に印刷されたと同様の印刷イメージ８１が表示される。このようにすれば、受付担当者８は、顧客７が見ている接着はがき６の印刷内容と同じ印刷イメージ８１を見ながら応対できるので、例えば、顧客７から「印刷面の右下に記載されている数字は何か」といった問い合わせを受けた際にも、速やかに適切な対応をすることができる。
【００３６】
以上説明した実施の形態では、印刷イメージファイルに関件づけられる、印刷イメージの内容の少なくとも一部であって、印刷物ごとに異なる部分、すなわち、照会情報として、識別子と暗号鍵をそれぞれ独立に生成して用いた。しかし、照会情報として用いることができるものは、それだけに限られない。
【００３７】
一例として、識別子を生成することなく、印刷物に印刷された内容のうち印刷物ごとに異なる部分、例えば、顧客の氏名と印刷物に印刷された日付等を照会情報として用いて、印刷物に対応する印刷イメージファイルを検索できるようにしてもよい。この場合には、検索に用いる顧客の氏名や日付等のフィールドと、印刷イメージファイルのファイル名との対応表を作成しておくとよい。
【００３８】
また、識別子と暗号鍵を別異のものとして生成せずに、共用するようにしてもよい。この場合、識別子兼暗号鍵、例えば「ＡＢＣＤＥＦ」、を印刷物に印刷しておく。受付担当者は、顧客から提供を受けた識別子兼暗号鍵を用いて印刷イメージファイルを検索し呼び出し、同時に、その識別子兼暗号鍵によって印刷イメージファイルを復号する。
【００３９】
あるいは、識別子と暗号鍵の両者を組み合わせて一連の番号を生成し、印刷物に印刷してもよい。例えば、識別子が「００１２３４」であり、暗号鍵が「ＡＢＣＤＥＦ」であれば、印刷物には「００１２３４ＡＢＣＤＥＦ」と印刷されることになる。この場合、受付担当者、あるいは受付担当者が使用するコンピュータ端末が当該番号を識別子と暗号鍵とに分解し、印刷イメージファイルを呼び出し復号することになる。
【００４０】
以上説明した本発明に係る可変印刷システム及びコンピュータプログラムによれば、可変印刷システムにより作成された印刷物の印刷イメージを閲覧制限を施して保管し、当該印刷物の内容を知ることができる場合、例えば、営業担当者やコールセンターの受付担当者が当該印刷物の引き渡しを受けた顧客から問い合わせを受けた場合などに、当該印刷物の印刷イメージの閲覧制限を解除し、閲覧できるようにすることができる。
【図面の簡単な説明】
【００４１】
【図１】本発明に係る可変印刷システムを示す図である。
【図２】本発明に係る可変印刷システムにより作成された印刷物の例である。
【図３】印刷物である接着はがきの送付を受けた顧客が、接着はがきについての問い合わせをコールセンターにする様子を示す模式図である。
【図４】従来の可変印刷を行う可変印刷システムを示す図である。
【符号の説明】
【００４２】
１  可変印刷システム、１０  データ管理部、１１  印刷イメージデータ作成部、１２  印刷イメージファイル作成部、１３  識別子・暗号鍵生成部、１４  ファイル出力部、２  印刷装置、３  可変データ、４  固定データ、５  ファイル保管部、６  接着はがき、６０  印刷面、６１  糊面、６２  宛名面、６３  複数の印刷物に共通する内容を印刷した部分、６４  印刷物によって内容が異なっている部分、６５  識別子、６６  暗号鍵、７  顧客、８  受付担当者、８０  ディスプレイ、８１  印刷イメージ、１０１  可変印刷システム、１１０  データ管理部、１１１  印刷イメージデータ作成部、１０２  印刷装置、１０３  可変データ、１０４  固定データ。
【図１】
0005077002.tif 000002
【図２】
0005077002.tif 000003
【図３】
0005077002.tif 000004
【図４】
0005077002.tif 000005